(57)【特許請求の範囲】
【請求項１】
データを揮発的に保持するデータ保持回路と、
相互に独立的に信号付与可能な一対の信号線と、
直列に接続された一対の強誘電体コンデンサにより構成された合成コンデンサであって、その接続ノードはデータ保持回路の記憶ノードに接続され、その両端は一対の信号線に別々に接続された、合成コンデンサとを備え、
少なくとも電力供給停止前に、一対の信号線に所定の書き込み用信号を付与することにより、データ保持回路に保持されているデータに対応した分極状態を、一対の強誘電体コンデンサにそれぞれ保持させ、
電力供給再開時に、一対の信号線に異なる電位の一対の読み出し用信号を付与することにより、合成コンデンサの接続ノードに生ずる電位に基づいて、データ保持回路にデータを復元すること、
を特徴とするデータ保持装置。
【請求項２】
請求項１のデータ保持装置において、
前記一対の強誘電体コンデンサの飽和電圧を、それぞれ、前記データ保持回路におけるデータの振幅電圧の実質的に１／２以下とし、
前記所定の書き込み用信号として、前記一対の信号線に、共に、データ保持回路におけるデータの振幅電圧の範囲内の電圧を付与し、
前記一対の読み出し用信号として、データ保持回路における高レベルデータの電位と実質的に同じ電位を一方の信号線に付与するとともに、データ保持回路における低レベルデータの電位と実質的に同じ電位を他方の信号線に付与すること、
を特徴とするもの。
【請求項３】
請求項１のデータ保持装置において、
前記一対の強誘電体コンデンサの飽和電圧を、それぞれ、前記データ保持回路におけるデータの振幅電圧と実質的に同等以下とし、
前記所定の書き込み用信号として、前記一対の信号線に、共に、データ保持回路における高レベルデータの電位と実質的に同じ電位を上端電位としデータ保持回路における低レベルデータの電位と実質的に同じ電位を下端電位とするパルス信号を付与し、
前記一対の読み出し用信号として、データ保持回路における高レベルデータの電位と実質的に同じ電位を一方の信号線に付与するとともに、データ保持回路における低レベルデータの電位と実質的に同じ電位を他方の信号線に付与すること、
を特徴とするもの。
【請求項４】
請求項１ないし３のいずれかのデータ保持装置において、
前記所定の書き込み用信号を、電力供給中、前記一対の信号線に定常的に付与すること、
を特徴とするもの。
【請求項５】
請求項１ないし３のいずれかのデータ保持装置において、
前記所定の書き込み用信号を、電力供給停止前の一定期間に限り付与すること、
を特徴とするもの。
【請求項６】
請求項１ないし５のいずれかのデータ保持装置において、
前記データ保持回路は、直列にループ状に接続可能な一対のインバータ回路を含み、
前記合成コンデンサの接続ノードを、一対のインバータ回路のうちいずれかのインバータ回路の入力ノードに接続すること、
を特徴とするもの。
【請求項７】
請求項６のデータ保持装置において、
前記一対のインバータ回路のうち帰還路に配置されたインバータ回路の出力ノードは、帰還信号継断用ゲートを介して、主信号路に配置されたインバータ回路の入力ノードに接続され、
前記合成コンデンサの接続ノードは、主信号路に配置されたインバータ回路の入力ノードに接続され、
電力供給再開時に、帰還信号継断用ゲートを断状態としたまま前記一対の読み出し用信号を前記一対の信号線に付与し、その後、帰還信号継断用ゲートを継状態とするよう構成すること、
を特徴とするもの。
【請求項８】
請求項１ないし７のいずれかのデータ保持装置を用いた電子回路であって、
信号を継断するための信号継断用ゲートであって当該データ保持装置に保持されたデータに基づいて継断制御される信号継断用ゲートを備えたことを特徴とする、
データ保持装置を有する電子回路。
【発明の詳細な説明】
【０００１】
【発明の属する技術分野】
この発明はデータ保持装置等に関し、特に、データを揮発的に保持するデータ保持回路、を有するデータ保持装置等に関する。
【０００２】
【従来の技術】
ラッチ回路などの順序回路に用いられるデータ保持回路として、たとえば、２つのインバータを直列にループ状に接続した回路が知られている。しかし、このようなデータ保持回路は、通常、データを揮発的にしか保持できないため、電源が遮断されるとデータが失われてしまう。つまり、電源を再投入しても、電源遮断前のデータを復元することができない。
【０００３】
したがって、たとえば、このような順序回路を利用したシーケンス処理を何らかの理由により中断する場合、データを保持しておくためには電源をＯＮにしたままにしなければならないので、その分、電力を消費する。また、停電事故等によりシーケンス処理が中断された場合、最初から処理をやり直さなければならず、時間的ロスが大きい。
【０００４】
このような問題を解決するために、強誘電体を用いた種々の回路、たとえば、特開２０００−７７９８６号公報、特開２０００−１２４７７６号公報、特開２０００−３３１４８２号公報、特開２００１−９４４１２号公報に示すような回路が提案されている。
【０００５】
【発明が解決しようとする課題】
特開２０００−７７９８６号公報、特開２０００−３３１４８２号公報または特開２００１−９４４１２号公報には、いわゆるＭＦＭＩＳ（金属／強誘電体／金属／絶縁体／半導体）型ＦＥＴ（電解効果トランジスタ）に代表される強誘電体トランジスタを、不揮発性記憶素子として利用する技術が開示されている。しかし、強誘電体トランジスタを実用に供するには解決すべき課題が残されており、未だ実用化に至っていない。
【０００６】
一方、特開２０００−１２４７７６号公報または特開２００１−９４４１２号公報においては、実用上多く用いられている強誘電体コンデンサを、不揮発性記憶素子として利用する技術が開示されている。しかしながら、当該公報においては、強誘電体コンデンサとともに、寄生容量を負荷容量として利用して、データを復元するようにしている。寄生容量は、その容量値を設計通りに実現するのが困難で、製造過程における誤差も大きいため、データを復元する際の検出マージンを確保することが難しい。
【０００７】
また、仮に負荷容量として専用のコンデンサを別途設けたとしても、負荷容量自体はデータを不揮発的に記憶する訳ではなく、製造工程のバラツキもあることから、データ復元の際の検出マージンの増加を期待するのは難しい。
【０００８】
この発明は、このような従来のデータ保持回路の問題点を解消し、電源が遮断されてもデータを保持することができる実用的な装置であって、かつ、データ復元の際の検出マージンが大きく信頼性の高いデータ保持装置などを提供することを目的とする。
【０００９】
【課題を解決するための手段、発明の作用および効果】
請求項１のデータ保持装置は、データを揮発的に保持するデータ保持回路と、相互に独立的に信号付与可能な一対の信号線と、直列に接続された一対の強誘電体コンデンサにより構成された合成コンデンサであって、その接続ノードはデータ保持回路の記憶ノードに接続され、その両端は一対の信号線に別々に接続された、合成コンデンサとを備え、少なくとも電力供給停止前に、一対の信号線に所定の書き込み用信号を付与することにより、データ保持回路に保持されているデータに対応した分極状態を、一対の強誘電体コンデンサにそれぞれ保持させ、電力供給再開時に、一対の信号線に異なる電位の一対の読み出し用信号を付与することにより、合成コンデンサの接続ノードに生ずる電位に基づいて、データ保持回路にデータを復元すること、を特徴とする。
【００１０】
したがって、データの復元に、寄生コンデンサを用いるのではなく一対の強誘電体コンデンサを用いているので、設計通りに製造するのが容易であり、製造工程における誤差も少ない。したがって、電源復帰時におけるデータ復元の信頼性が高い。
【００１１】
データ保持回路の記憶ノードのデータに対応する一対の分極状態を一対の強誘電体コンデンサにそれぞれ保持させている。そして、データを読み出す際には、異なる電位を有する一対の読み出し用信号を合成コンデンサの両端に印加し、一対の強誘電体コンデンサに保持されている一対の分極状態によって合成コンデンサの接続ノードに生ずる電圧に基づいてデータを復元するようにしている。このため、１つの強誘電体コンデンサにのみデータを保持させる場合に比べ、データ復元の際の検出マージンを大きくすることができる。
【００１２】
すなわち、電源が遮断されてもデータを保持することができる実用的な装置であって、かつ、データ復元の際の検出マージンが大きく信頼性の高いデータ保持装置を実現することができる。
【００１３】
請求項２のデータ保持装置においては、一対の強誘電体コンデンサの飽和電圧を、それぞれ、データ保持回路におけるデータの振幅電圧の実質的に１／２以下とし、所定の書き込み用信号として、一対の信号線に、共に、データ保持回路におけるデータの振幅電圧の範囲内の電圧を付与し、一対の読み出し用信号として、データ保持回路における高レベルデータの電位と実質的に同じ電位を一方の信号線に付与するとともに、データ保持回路における低レベルデータの電位と実質的に同じ電位を他方の信号線に付与すること、を特徴とする。
【００１４】
また、請求項３のデータ保持装置においては、一対の強誘電体コンデンサの飽和電圧を、それぞれ、データ保持回路におけるデータの振幅電圧と実質的に同等以下とし、所定の書き込み用信号として、一対の信号線に、共に、データ保持回路における高レベルデータの電位と実質的に同じ電位を上端電位としデータ保持回路における低レベルデータの電位と実質的に同じ電位を下端電位とするパルス信号を付与し、一対の読み出し用信号として、データ保持回路における高レベルデータの電位と実質的に同じ電位を一方の信号線に付与するとともに、データ保持回路における低レベルデータの電位と実質的に同じ電位を他方の信号線に付与すること、を特徴とする。
【００１５】
したがって、請求項２，３のデータ記憶装置においては、一対の信号線に書き込み用信号を付与することにより、データ保持回路に保持されているデータに対応した一対の電圧であって強誘電体コンデンサの飽和電圧以上の電圧を一対の強誘電体コンデンサにそれぞれ印加することができる。このため、データに対応した一対の残留分極を、確実に、一対の強誘電体コンデンサのそれぞれに生じさせることができる。
【００１６】
また、一対の信号線に読み出し用信号を付与することにより、データ保持回路のデータの振幅電圧と実質的に同じ電圧を合成コンデンサに印加することができる。このため、合成コンデンサの接続点には、データに対応したマージンの大きい電圧が生ずる。
【００１７】
請求項４のデータ保持装置においては、所定の書き込み用信号を、電力供給中、前記一対の信号線に定常的に付与すること、を特徴とする。したがって、電源遮断の際に信号線に特別の動作をさせる必要がないから、回路の単純化を図ることができる。
【００１８】
請求項５のデータ保持装置においては、所定の書き込み用信号を、電力供給停止前の一定期間に限り付与することを特徴とする。したがって、通常動作において強誘電体コンデンサの分極反転はほとんど生じないから、強誘電体コンデンサの書き換え可能回数が低く、品質がよくない場合でも、その劣化を低減することができる。
【００１９】
請求項６のデータ保持装置においては、データ保持回路は、直列にループ状に接続可能な一対のインバータ回路を含み、合成コンデンサの接続ノードを、一対のインバータ回路のうちいずれかのインバータ回路の入力ノードに接続することを特徴とする。
【００２０】
したがって、一般的に用いられる揮発性のデータ保持回路において、合成コンデンサの接続ノードが接続されたインバータ回路の出力を、確実に、電源遮断前の状態に戻すことが可能となる。
【００２１】
請求項７のデータ保持装置においては、一対のインバータ回路のうち帰還路に配置されたインバータ回路の出力ノードは、帰還信号継断用ゲートを介して、主信号路に配置されたインバータ回路の入力ノードに接続され、合成コンデンサの接続ノードは、主信号路に配置されたインバータ回路の入力ノードに接続され、電力供給再開時に、帰還信号継断用ゲートを断状態としたまま一対の読み出し用信号を一対の信号線に付与し、その後、帰還信号継断用ゲートを継状態とするよう構成すること、を特徴とする。
【００２２】
電力供給再開時には、帰還路に配置されたインバータ回路の出力が不安定になっているから、このような出力が主信号路に配置されたインバータ回路の入力ノードに入力されるのを遮断するようにしているのである。したがって、電力供給再開時の初期において、主信号路に配置されたインバータ回路の入力ノードには、一対の読み出し用信号により合成コンデンサの接続ノードに発生した電位のみが与えられる。このようにして、電力供給再開時における信号の競合を回避することで、データ復元の信頼性をさらに高めることができる。
【００２３】
また、ラッチ回路に一般的に用いられる帰還信号継断用ゲートを利用して、電力供給再開時における信号の競合を回避するようにしているので、たとえば、一対のインバータ回路の電源を電力供給再開時に別々に制御したりすることなく、信号の競合を回避することができる。このため、回路構成を単純にすることができる。
【００２４】
請求項８のデータ保持装置を有する電子回路は、請求項１ないし７のいずれかのデータ保持装置を用いた電子回路であって、信号を継断するための信号継断用ゲートであって当該データ保持装置に保持されたデータに基づいて継断制御される信号継断用ゲートを備えたことを特徴とする。
【００２５】
したがって、たとえば、ＤＰＧＡ（Ｄｙｎａｍｉｃ  Ｐｒｏｇｒａｍｍｅｄ  Ｇａｔｅ  Ａｒｒａｙ）のように大規模な論理回路を有する電子回路における論理回路ブロック同士を接続する信号継断用ゲートを、当該データ保持装置に保持されたデータに基づいて継断制御するようにしておけば、電源遮断時においても確実に継断情報を保持しているから、低消費電力化等に特に有効である。
【００２６】
【発明の実施の形態】
図１は、この発明の一実施形態によるデータ保持装置１を示す回路図である。データ保持装置１は、データ保持回路であるデータラッチ回路３および合成コンデンサ５を備えている。
【００２７】
データラッチ回路３は、直列にループ状に接続可能な一対のインバータ回路７，９を備えている。帰還路に配置されたインバータ回路９の出力ノード９ｂは、帰還信号継断用ゲートであるトランスファゲート１１を介して、主信号路に配置されたインバータ回路７の入力ノード７ａに接続されている。トランスファゲート１１は、クロック信号線ＣＬ２およびクロック信号線ＣＬ２の反転信号線であるクロック信号線ＣＬ２Ｂによって制御される。インバータ回路７の出力ノード７ｂは、直接、インバータ回路９の入力ノード９ａに接続されている。
【００２８】
データ入力線Ｄｉｎ１に与えられたデータは、インバータ回路１３およびトランスファゲート１５を介して、インバータ回路７の入力ノード７ａに与えられる。トランスファゲート１５は、クロック信号線ＣＬ１およびクロック信号線ＣＬ１の反転信号線であるクロック信号線ＣＬ１Ｂによって制御される。
【００２９】
インバータ回路７の出力ノード７ｂ、入力ノード７ａは、それぞれ、データラッチ回路の記憶ノードに対応する。出力ノード７ｂ、出力ノード９ｂには、それぞれ、データ出力線Ｄｏｕｔ１およびデータ出力線Ｄｏｕｔ１の反転信号線であるデータ出力線Ｄｏｕｔ１Ｂが接続されている。
【００３０】
合成コンデンサ５は、直列に接続された一対の強誘電体コンデンサ１７，１９により構成され、合成コンデンサ５の接続ノード５ａはインバータ回路７の入力ノード７ａに接続され、合成コンデンサ５の両端は一対の読み書き用の信号線であるプレートラインＰＬ１、ＰＬ２に、別々に接続されている。プレートラインＰＬ１、ＰＬ２に対しては、相互に独立的に信号を付与することができる。
【００３１】
少なくともデータ保持装置１への電力供給停止前に、プレートラインＰＬ１、ＰＬ２に所定の書き込み用信号を付与することにより、データラッチ回路３に保持されているデータに対応した相互に逆方向の一対の分極状態を、一対の強誘電体コンデンサ１７，１９にそれぞれ保持させるよう構成している。
【００３２】
また、データ保持装置１への電力供給再開時に、プレートラインＰＬ１、ＰＬ２に所定の異なる電位を有する一対の読み出し用信号を付与することにより合成コンデンサ５の接続ノード５ａに生ずる電位Ｖｉに基づいて、データラッチ回路３にデータを復元するよう構成している。
【００３３】
なお、データラッチ回路３におけるデータの高レベルデータ（論理“Ｈ”）の電位および低レベルデータ（論理“Ｌ”）の電位は、それぞれ電源電圧ＶＤＤ、接地電位ＧＮＤと同一となっている。したがって、データラッチ回路３におけるデータの振幅電圧は、電源電圧ＶＤＤに等しい。
【００３４】
図２は、図１に示すデータ保持装置１の動作を説明するためのタイミングチャートである。図３Ａ〜図３Ｂおよび図４は、図２に示すタイミングチャートに対応した、強誘電体コンデンサ１７，１９の分極状態を説明するための図面である。図１〜図４を参照しつつ、データ保持装置１の動作を説明する。
【００３５】
図２に示すように、通常動作時５１においては、クロック信号線ＣＬ１に所定のクロックパルスが付与され、クロック信号線ＣＬ２には、クロック信号線ＣＬ１に付与されるクロックパルスを反転したクロックパルスが付与されている。プレートラインＰＬ１、ＰＬ２には、共に、電源電圧ＶＤＤと接地電圧ＧＮＤの間の電圧（たとえば、電源電圧ＶＤＤの約１／２の電圧）が付与されている。
【００３６】
図１に示すように、データ入力線Ｄｉｎ１から入力されたデータはインバータ回路１３により反転され、クロック信号線ＣＬ１に付与されたクロックパルスの立ち下がりでラッチされ、このクロックパルスがローレベルの間、データラッチ回路３に保持される。
【００３７】
図３Ａは、通常動作時５１における強誘電体コンデンサ１７，１９の分極状態（図では、分極状態と等価な電荷で表現している）と電圧との関係を示す図面である。強誘電体コンデンサ１７，１９は、互いに近くに配置されるため同一特性になる。強誘電体コンデンサ１７，１９の飽和電圧は、共に、データラッチ回路３におけるデータの振幅電圧の実質的に１／２、すなわち、１／２・ＶＤＤである。なお、強誘電体コンデンサ１７，１９の飽和電圧は、データの振幅電圧の１／２よりも小さければ問題ない。この場合、プレートラインＰＬ１、ＰＬ２にかけることのできる電圧の適用範囲は広くなる。
【００３８】
図３Ａにおいては、強誘電体コンデンサ１７，１９については、電圧は、プレートラインＰＬ１、ＰＬ２を基準とした場合における接続ノード５ａの電圧であり、プレートラインＰＬ１、ＰＬ２よりも接続ノード５ａの電圧が高い場合の分極方向を正としている。
【００３９】
したがって、通常動作時５１においては、データ出力線Ｄｏｕｔ１Ｂのデータ値（すなわち、インバータ回路７の入力ノード７ａ側のデータ）が“Ｈ”か“Ｌ”かによって、強誘電体コンデンサ１７，１９の分極状態はＰ３またはＰ４となる。
【００４０】
この状態において電源が遮断されると（図２の５３参照）、図３Ｂに示すように、時間の経過とともに、強誘電体コンデンサ１７，１９の分極状態は、Ｐ３からＰ１へ（または、Ｐ４からＰ２へ）移る。
【００４１】
図２に示すように電源が再投入されると（図２の５５参照）、まず、プレートラインＰＬ１、ＰＬ２に、それぞれ、電源電圧ＶＤＤ、接地電位ＧＮＤが与えられる。これにより、たとえば、電源遮断直前にデータ出力線Ｄｏｕｔ１Ｂのデータが“Ｈ”であったとすると、図４に示すように、強誘電体コンデンサ１９の分極状態は、Ｐ１からＰ７へ移り。強誘電体コンデンサ１７の分極状態は、Ｐ１からＰ５へ移る。
【００４２】
Ｐ１とＰ５との電位差をＶ１Ｈ、Ｐ１とＰ７との電位差をＶ２Ｈ、Ｐ１とＰ５との電荷の差をＱ１Ｈ、Ｐ１とＰ７との電荷の差をＱ２Ｈ、とすると、Ｐ１、Ｐ７は、Ｖ２Ｈ＋Ｖ１Ｈ＝ＶＤＤかつＱ２Ｈ−Ｑ１Ｈ＝０を満足することになる。
【００４３】
したがって、電源遮断直前にデータ出力線Ｄｏｕｔ１Ｂのデータが“Ｈ”であったとすると、電源が再投入された場合、合成コンデンサ５の接続ノード５ａの電位Ｖｉは、図４に示すＶ２Ｈとなる。一方、電源遮断直前にデータ出力線Ｄｏｕｔ１Ｂのデータが“Ｌ”であったとすると、電源が再投入された場合、合成コンデンサ５の接続ノード５ａの電位ＶｉはＶ２Ｌとなる。
【００４４】
その後、図２に示すように、クロック信号線ＣＬ２を立ち上げることにより、接続ノード５ａの電位Ｖｉは、その電位がＶ２ＨであったかＶ２Ｌであったかにより、論理“Ｈ”の電位（ＶＤＤ）または論理“Ｌ”の電位（ＧＮＤ）になる。このようにして、電源遮断直前にデータラッチ回路３に保持されていたデータを復元することができる。その後、クロック信号線ＣＬ１、ＣＬ２およびプレートラインＰＬ１，ＰＬ２を通常動作時１の状態に戻す。
【００４５】
このように、同一特性の一対の強誘電体コンデンサによりラッチデータを復元するようにしているため、検出マージンを極めて大きくすることができる。
【００４６】
つぎに図５は、この発明の他の実施形態によるデータ保持装置の動作を説明するためのタイミングチャートである。このデータ保持装置の回路構成は図１に示すデータ保持装置１と同じであるので、説明を省略する。
【００４７】
この実施形態によるデータ保持装置と図２に示すタイミングチャートで示されるデータ保持装置１とは、プレートラインＰＬ１、ＰＬ２に付与する書き込み用信号が異なるのみである。
【００４８】
すなわち、図２および図５のいずれの場合も、通常動作時５１に、書き込み用信号（電源電圧ＶＤＤの約１／２の電圧）をプレートラインＰＬ１、ＰＬ２に付与するようにしているが、図２に示す実施形態においては、書き込み用信号を定常的に付与しているのに対し、図５に示す実施形態においては、書き込み用信号を、電力供給停止前の一定期間に限り付与するようにしている。すなわち、図５に示す実施形態においては、電力供給停止直前のデータ保持期間（クロックパルスＣＬ２が論理“Ｈ”となる期間）に同調させて、書き込み用信号を付与するようにしている。
【００４９】
このようにすれば、強誘電体コンデンサ１７，１９の分極反転は、通常動作時５１には起きないので、強誘電体コンデンサ１７，１９の劣化を低減することができる。また、分極反転が起きなければ、強誘電体コンデンサ１７，１９の容量値は小さい状態であるため、高速動作が可能になる。
【００５０】
つぎに、図６は、この発明のさらに他の実施形態によるデータ保持装置の動作を説明するためのタイミングチャートである。このデータ保持装置の回路構成も図１に示すデータ保持装置１と同じであるので、説明を省略する。図７Ａ〜図７Ｃおよび図８は、図６に示すタイミングチャートにおける強誘電体コンデンサ１７，１９の分極状態を説明するための図面である。
【００５１】
この実施形態によるデータ保持装置と図２に示すタイミングチャートで示されるデータ保持装置１とは、強誘電体コンデンサ１７，１９の飽和電圧およびプレートラインＰＬ１、ＰＬ２に付与する書き込み用信号が異なる。
【００５２】
すなわち、図６に示す実施形態においては、書き込み用信号として電源電圧ＶＤＤを上端電位とし接地電位ＧＮＤを下端電位とするパルス信号を付与するようにしている。より詳しく説明すれば、データラッチ回路３におけるデータ保持期間（クロックパルスＣＬ２が論理“Ｈ”となる期間）に同期させたパルス信号を、書き込み用信号としてプレートラインＰＬ１、ＰＬ２に付与するようにしている。
【００５３】
また、強誘電体コンデンサ１７，１９の飽和電圧は、図７Ａ〜図７Ｃおよび図８に示すように、共に、データラッチ回路３におけるデータの振幅電圧ＶＤＤと実質的に同一である。なお、強誘電体コンデンサ１７，１９の飽和電圧は、振幅電圧ＶＤＤより小さければ問題ない。
【００５４】
したがって、通常動作時５１において、強誘電体コンデンサ１７，１９の分極状態は、インバータ回路７の入力ノード７ａ側のデータが“Ｈ”のまま変わらない場合には図７Ａに示す経路６１に沿って変化し、入力ノード７ａ側のデータが“Ｌ”のまま変わらない場合には経路６３に沿って変化するが、いずれの場合にも、残留分極の値は変わらない。
【００５５】
インバータ回路７の入力ノード７ａ側のデータが“Ｈ”から“Ｌ”に変化した場合には図７Ｂに示す経路６５ａ〜６５ｂに沿って変化する。すなわち、プレートラインＰＬ１、ＰＬ２が接地電位でデータが“Ｈ”から“Ｌ”に変化すれば、Ｐ１３からＰ１１の状態となり、プレートラインＰＬ１、ＰＬ２が電源電位になった瞬間にＰ１４の状態となり、その後、プレートラインＰＬ１、ＰＬ２が接地電位に戻るとＰ１２の状態となる。
【００５６】
入力ノード７ａ側のデータが“Ｌ”から“Ｈ”に変化した場合には図７Ｃに示す経路６７ａ〜６７ｂに沿って変化する。すなわち、プレートラインＰＬ１、ＰＬ２が接地電位でデータが“Ｌ”から“Ｈ”に変化すれば、Ｐ１２からＰ１３の状態となり、プレートラインＰＬ１、ＰＬ２が電源電位になった瞬間にＰ１１の状態となり、その後、プレートラインＰＬ１、ＰＬ２が接地電位に戻るとＰ１３の状態となる。
【００５７】
この状態において電源が遮断されると（図６の５３参照）、時間の経過とともに、強誘電体コンデンサ１７，１９の分極状態は、図７Ａに示すＰ１１またはＰ１２へ移る。
【００５８】
図８は、電源が再投入されたときの、強誘電体コンデンサ１７，１９の分極状態を示す図面である。
【００５９】
図６に示すように電源が再投入されると、（図６の５５参照）、プレートラインＰＬ１、ＰＬ２に、それぞれ、電源電圧ＶＤＤ、接地電位ＧＮＤが与えられる。これにより、たとえば、電源遮断直前にデータ出力線Ｄｏｕｔ１Ｂのデータが“Ｈ”であったとすると、図８に示すように、強誘電体コンデンサ１９の分極状態は、Ｐ１１からＰ１７へ移り。強誘電体コンデンサ１７の分極状態は、Ｐ１１からＰ１５へ移る。
【００６０】
したがって、図４の場合と同様に、電源遮断直前にデータ出力線Ｄｏｕｔ１Ｂのデータが“Ｈ”であったとすると、電源が再投入された場合、合成コンデンサ５の接続ノード５ａの電位Ｖｉは図８に示すＶ２Ｈとなる。一方、電源遮断直前にデータ出力線Ｄｏｕｔ１Ｂのデータが“Ｌ”であったとすると、電源が再投入された場合、合成コンデンサ５の接続ノード５ａの電位Ｖｉは図８に示すＶ２Ｌとなる。その後の動作は、図２に示す実施形態の場合と同様である。
【００６１】
つぎに図９は、この発明のさらに他の実施形態によるデータ保持装置の動作を説明するためのタイミングチャートである。このデータ保持装置の回路構成は図１に示すデータ保持装置１と同じであるので、説明を省略する。
【００６２】
この実施形態によるデータ保持装置と図６に示すタイミングチャートで示されるデータ保持装置とは、プレートラインＰＬ１、ＰＬ２に付与する書き込み用信号を付与するタイミングが異なるのみである。
【００６３】
すなわち、図６に示す実施形態においては、書き込み用信号を定常的に付与しているのに対し、図９に示す実施形態においては、図５に示す実施形態の場合と同様に、電力供給停止直前のデータ保持期間（クロックパルスＣＬ２が論理“Ｈ”となる期間）に同調させて、書き込み用信号を付与するようにしている。
【００６４】
このようにすれば、図５に示す実施形態の場合と同様、強誘電体コンデンサ１７，１９の分極反転は通常動作時５１には起きないから、強誘電体コンデンサ１７，１９の劣化を低減することができる。また、図５に示す実施形態の場合と同様に、高速動作が可能になる。
【００６５】
つぎに、図１０は、この発明のさらに他の実施形態によるデータ保持装置の動作を説明するためのタイミングチャートである。このデータ保持装置の回路構成も図１に示すデータ保持装置１と同じであるので、説明を省略する。図１１Ａ〜Ｃは、図１０に示すタイミングチャートにおける強誘電体コンデンサ１７の分極状態を説明するための図面である。
【００６６】
この実施形態によるデータ保持装置と図６に示すタイミングチャートで示されるデータ保持装置とは、プレートラインＰＬ１に付与する書き込み用信号が異なるのみである。
【００６７】
すなわち、図１０に示す実施形態においては、書き込み用信号として、図６に示すプレートラインＰＬ１に付与されるパルス信号を反転したパルス信号を付与するようにしている。
【００６８】
通常動作時５１において、強誘電体コンデンサ１７の分極状態は、インバータ回路７の入力ノード７ａ側のデータが“Ｈ”のまま変わらない場合には図１１Ａに示す経路７１に沿って変化し、入力ノード７ａ側のデータが“Ｌ”のまま変わらない場合には経路７３に沿って変化するが、いずれの場合にも、残留分極の値は変わらない。
【００６９】
インバータ回路７の入力ノード７ａ側のデータが“Ｈ”から“Ｌ”に変化した場合には図１１Ｂに示す経路７５ａ〜７５ｂに沿って変化する。すなわち、プレートラインＰＬ１が電源電位でデータが“Ｈ”から“Ｌ”に変化すれば、Ｐ１１からＰ１４の状態となり、プレートラインＰＬ１が接地電位になった瞬間にＰ１２の状態となり、その後、プレートラインＰＬ１が電源電位に戻るとＰ１４の状態となる。
【００７０】
入力ノード７ａ側のデータが“Ｌ”から“Ｈ”に変化した場合には図１１Ｃに示す経路７７ａ〜７７ｂに沿って変化する。すなわち、プレートラインＰＬ１が電源電位でデータが“Ｌ”から“Ｈ”に変化すれば、Ｐ１４からＰ１２の状態となり、プレートラインＰＬ１が接地電位になった瞬間にＰ１３の状態となり、その後、プレートラインＰＬ１が電源電位に戻るとＰ１１の状態となる。
【００７１】
なお、図１０に示す実施形態における強誘電体コンデンサ１９の分極状態は、図６に示す実施形態の場合と同様に、図７Ａ〜図７Ｃで表すことができる。
【００７２】
その後の動作は、図６に示す実施形態の場合と同様である。
【００７３】
図１０に示す実施形態においては、書き込み用信号を定常的に付与しているが、図５に示す実施形態の場合と同様に、電力供給停止直前のデータ保持期間（クロックパルスＣＬ２が論理“Ｈ”となる期間）に同調させて、書き込み用信号を付与するようにすることもできる。
【００７４】
このようにすれば、図５に示す実施形態の場合と同様、通常動作時５１における強誘電体コンデンサ１７，１９の分極反転がほとんど生じないから、強誘電体コンデンサ１７，１９の劣化の低減および動作のスピードアップを図ることができる。
【００７５】
つぎに、図１２に、この発明のさらに他の実施形態によるデータ保持装置を有する電子回路１０１の構成を示す。この電子回路１０１は、メモリブロック１０３，論理ブロック１０５ａ、１０５ｂ、…、信号継断用ゲートであるトランスファゲート１０７ａ、１０７ｂ、…を備えており、たとえば、ＤＰＧＡ（Ｄｙｎａｍｉｃ  Ｐｒｏｇｒａｍｍｅｄ  Ｇａｔｅ  Ａｒｒａｙ）として実現することができる。
【００７６】
論理ブロック１０５ａ、１０５ｂ、…は、それぞれ、複数の論理素子により構成されている。論理ブロック１０５ａ、１０５ｂ、…は、相互に、トランスファゲート１０７ａ、１０７ｂ、…を介して、接続可能となっている。
【００７７】
メモリブロック１０３は、図１に示すデータ保持装置１（図２のタイミングチャートに対応するデータ保持装置）と同様の回路を複数備えている。たとえば、データ入力線Ｄｉｎ１に与えられたデータは、メモリブロック１０３を構成する１つのデータ保持装置１に保持されるとともに、データ出力線Ｄｏｕｔ１、Ｄｏｕｔ１Ｂを介して出力される。他のデータ保持装置（図示せず）も、同様に構成されている。
【００７８】
トランスファゲート１０７ａ、１０７ｂ、…は、それぞれ、メモリブロック１０３のデータ出力線Ｄｏｕｔ１およびＤｏｕｔ１Ｂ、Ｄｏｕｔ２およびＤｏｕｔ２Ｂ、…から出力されるそれぞれ一対のデータによって、継断制御される。
【００７９】
このように構成することで、電源遮断時に確実に継断情報を保持することができるため、消費電力の極めて小さいＤＰＧＡ（Ｄｙｎａｍｉｃ  Ｐｒｏｇｒａｍｍｅｄ  Ｇａｔｅ  Ａｒｒａｙ）等を実現することが容易となる。
【００８０】
なお、この実施形態においては、メモリブロック１０３は、図２のタイミングチャートに対応するデータ保持装置１と同様の回路を複数備えているとしたが、この発明はこれに限定されるものではない。たとえば、メモリブロック１０３を構成するデータ保持装置が、図５，６，９または１０のタイミングチャートに対応するデータ保持装置であってもよい。
【００８１】
また、この実施形態においては、信号継断用ゲートとしてトランスファゲートを例に説明したが、信号継断用ゲートはこれに限定されるものではない。信号継断用ゲートとして、たとえば、ＦＥＴ等のトランジスタを単一で用いたり、ＡＮＤ素子等の論理素子を用いることもできる。
【００８２】
また、上述の各実施形態においては、帰還信号継断用ゲートとしてトランスファゲートを例に説明したが、帰還信号継断用ゲートはこれに限定されるものではない。帰還信号継断用ゲートとして、たとえば、ＦＥＴ等のトランジスタを単独で用いることもできる。
【００８３】
また、上述の各実施形態においては、帰還路に配置されたインバータ回路の出力ノードを、帰還信号継断用ゲートを介して、主信号路に配置されたインバータ回路の入力ノードに接続するようにするとともに、合成コンデンサの接続ノードを、主信号路に配置されたインバータ回路の入力ノードに、直接、接続するようにしたが、この発明はこれに限定されるものではない。
【００８４】
たとえば、帰還路に配置されたインバータ回路の駆動能力を、主信号路に配置されたインバータ回路の駆動能力より低く設定しておき、帰還路に配置されたインバータ回路の出力ノードを、主信号路に配置されたインバータ回路の入力ノードに、直接、接続するとともに、合成コンデンサの接続ノードを、主信号路に配置されたインバータ回路の入力ノードに、直接、接続するよう構成することもできる。
【００８５】
また、上述の各実施形態においては、合成コンデンサの接続ノードを、主信号路に配置されたインバータ回路の入力ノードに接続するようにしたが、この発明はこれに限定されるものではない。合成コンデンサの接続ノードを、たとえば、帰還路に配置されたインバータ回路の入力ノードに接続するようにすることもできる。
【００８６】
また、合成コンデンサの接続ノードと主信号路のノード間に信号継断用ゲートを設け、一定のタイミング時のみに合成コンデンサに電圧がかかるようにするのも容易に可能である。
【００８７】
また、上述の各実施形態においては、データ保持回路として、順序回路の一種であるデータラッチ回路３を例に説明したが、この発明はこれに限定されるものではない。他の順序回路、たとえば、フリップフロップ回路等にも、この発明を適用することができる。さらに、この発明を適用できるデータ保持回路としては、順序回路の他に、たとえば、メモリ回路等を挙げることができる。
【００８８】
また、データ保持回路として、直列にループ状に接続可能な一対のインバータ回路を含む場合を例に説明したが、データ保持回路はこれに限定されるものではない。データを揮発的に保持することができる回路全てに、この発明を適用することができる。
【図面の簡単な説明】
【図１】この発明の一実施形態によるデータ保持装置１を示す回路図である。
【図２】図１に示すデータ保持装置１の動作を説明するためのタイミングチャートである。
【図３】図３Ａ、図３Ｂは、図２に示すタイミングチャートに対応した、強誘電体コンデンサ１７，１９の分極状態を説明するための図面である。
【図４】図２に示すタイミングチャートに対応した、強誘電体コンデンサ１７，１９の分極状態を説明するための図面である。
【図５】この発明の他の実施形態によるデータ保持装置の動作を説明するためのタイミングチャートである。
【図６】この発明のさらに他の実施形態によるデータ保持装置の動作を説明するためのタイミングチャートである。
【図７】図７Ａ〜図７Ｃは、図６に示すタイミングチャートの、強誘電体コンデンサ１７，１９の分極状態を説明するための図面である。
【図８】図６に示すタイミングチャートの、強誘電体コンデンサ１７，１９の分極状態を説明するための図面である。
【図９】この発明のさらに他の実施形態によるデータ保持装置の動作を説明するためのタイミングチャートである。
【図１０】この発明のさらに他の実施形態によるデータ保持装置の動作を説明するためのタイミングチャートである。
【図１１】図１１Ａ〜図１１Ｃは、図１０に示すタイミングチャートにおける強誘電体コンデンサ１７の分極状態を説明するための図面である。
【図１２】この発明のさらに他の実施形態による電子回路１０１の構成を示す図面である。
【符号の説明】
１・・・・データ保持装置
３・・・・データラッチ回路
５・・・・合成コンデンサ
５ａ・・・接続ノード
１７・・・強誘電体コンデンサ
１９・・・強誘電体コンデンサ
【図１】
0003560949.tif 000002
【図２】
0003560949.tif 000003
【図３】
0003560949.tif 000004
【図４】
0003560949.tif 000005
【図５】
0003560949.tif 000006
【図６】
0003560949.tif 000007
【図７】
0003560949.tif 000008
【図８】
0003560949.tif 000009
【図９】
0003560949.tif 000010
【図１０】
0003560949.tif 000011
【図１１】
0003560949.tif 000012
【図１２】
0003560949.tif 000013